(57)【要約】【課題】回転部に配置した電気部品を電気的に接続する配線への過度な負荷を防止する。【解決手段】送風装置（除湿機）１は、本体１００に回転可能に配置された回転部（送風部）６４０と、回転部６４０を回転駆動する駆動手段（ステッピングモータ）６２３と、本体１００と回転部６４０の間に配索されたケーブル８００と、ケーブル８００が軸心に対して接離する方向の変位を規制する規制部６０２を備える。ケーブル８００は、一端側８００ａが本体１００に配置した第１の電気部品（中継基板）に接続され、他端側８００ｂが回転部６４０に配置した第２の電気部品（ステッピングモータ）６６５に接続されている。ケーブル８００は、回転部６４０の軸心側に位置する内側配索部８０１と、外側に位置する外側配索部８０２と、これらの間の折返部８０３を有する。【選択図】図１０
2016095093.tif 000002
【特許請求の範囲】
【請求項１】
吸込口、送風手段、及び第１の電気部品を有する本体と、
前記本体に対して軸心回りに回転可能に配置され、前記送風手段により前記吸込口から吸引した空気を吐出する吹出口を有し、第２の電気部品が配置された回転部と、
前記回転部を正転方向及び逆転方向に回転駆動する駆動手段と、
前記本体と前記回転部との間に前記軸心を囲むように配索され、前記第１の電気部品に電気的に接続される一端側が前記本体に固定されるとともに、前記第２の電気部品に電気的に接続される他端側が前記回転部に固定され、前記軸心側に位置するように配索した内側配索部と、前記内側配索部の外側に位置するように配索した外側配索部と、前記内側配索部と前記外側配索部との間の折返部とを有し、弾性的に変形可能なケーブルと、
前記ケーブルの前記内側配索部及び前記外側配索部の前記軸心に対して接離する方向の変位を規制する規制部と
を備える、送風装置。
【請求項２】
前記回転部の前記軸心回りの回転角度位置に応じて、前記折返部の前記軸心回りの回転角度位置が変化する、請求項１に記載の送風装置。
【請求項３】
前記規制部は、前記内側配索部の前記軸心に対して接近する方向の変位を規制する内側規制部と、前記外側配索部の前記軸心に対して離反する方向の変位を規制する外側規制部とを有する、請求項１又は請求項２に記載の送風装置。
【請求項４】
前記内側規制部は、前記本体及び前記回転部の一方に設けられ、前記外側規制部は、前記本体及び前記回転部の他方に設けられている、請求項３に記載の送風装置。
【請求項５】
前記内側規制部と前記外側規制部とで、前記ケーブルが収容される円環状溝を形成している、請求項３又は請求項４に記載の送風装置。
【請求項６】
前記回転部の回転により、前記内側配索部同士及び外側配索部同士の少なくとも一方が重なり合わないように前記ケーブルを配索している、請求項１乃至請求項５のいずれか１項に記載の送風装置。
【発明の詳細な説明】
【技術分野】
【０００１】
本発明は、送風装置に関する。送風装置とは、吸込口から空気を吸引し、何らかの処理を加え又は加圧以外の処理を加えることなく、吹出口から空気を吹き出す装置をいう。例えば、送風装置には、除湿機、加湿器、空気調和機、サーキュレータ、冷風機、温風機、及び扇風機等が該当する。
【背景技術】
【０００２】
本体に対して回転可能に配置した回転部に吹出口が設けられ、空気の吹出方向を変更可能とした送風装置が知られている。特許文献１には、送風装置の一例である除湿機が開示されている。この除湿機は、本体の上部に駆動用モータによって回転可能とした蓋体を備える。蓋体は、一体に回転可能な載置板を備え、この載置板にモータによって回動可能とした吹出ノズルが更に配置されている。
【０００３】
特許文献１の除湿機は、回転可能な蓋体に本体から電力を供給する必要があるモータ（電気部品）が配置されているが、モータに電力を供給するためのケーブルの配索について何ら考慮されていない。回転部である蓋体に配置した電気部品に電気的に接続する場合、回転により配線に捻れが生じ、断線の可能性があるため、特に配慮が必要である。
【先行技術文献】
【特許文献】
【０００４】
【特許文献１】特開２００２−１８８８３０号公報
【発明の概要】
【発明が解決しようとする課題】
【０００５】
本発明は、回転部に配置した電気部品を電気的に接続する配線への過度な負荷を防止し、円滑な回転を実現可能な送風装置を提供することを課題とする。
【課題を解決するための手段】
【０００６】
本発明は、吸込口、送風手段、及び第１の電気部品を有する本体と、前記本体に対して軸心回りに回転可能に配置され、前記送風手段により前記吸込口から吸引した空気を吐出する吹出口を有し、第２の電気部品が配置された回転部と、前記回転部を正転方向及び逆転方向に回転駆動する駆動手段と、前記本体と前記回転部との間に前記軸心を囲むように配索され、前記第１の電気部品に電気的に接続される一端側が前記本体に固定されるとともに、前記第２の電気部品に電気的に接続される他端側が前記回転部に固定され、前記軸心側に位置するように配索した内側配索部と、前記内側配索部の外側に位置するように配索した外側配索部と、前記内側配索部と前記外側配索部との間の折返部とを有し、弾性的に変形可能なケーブルと、前記ケーブルの前記内側配索部及び前記外側配索部の前記軸心に対して接離する方向の変位を規制する規制部とを備える送風装置を提供する。
【０００７】
この送風装置は、前記回転部の前記軸心回りの回転角度位置に応じて、前記折返部の前記軸心回りの回転角度位置が変化する。詳しくは、配線であるケーブルは、折返部でＵ字形状をなすように折り曲げられ、更に回転部の軸心を囲むように配索されている。折返部が位置する方向に回転部が回転すると、内側配索部の全長が長くなり、外側配索部の全長が短くなるように、ケーブルの折返部の位置が変化する。逆に、本体側に固定されるケーブルの一端側が位置する方向に回転部が回転すると、内側配索部の全長が短くなり、外側配索部の全長が長くなるように、ケーブルの折返部の位置が変化する。このように、折返部の位置が変化する構成としているため、ケーブルが断線し難い配索構造とすることができる。そして、ケーブルは、規制部によって軸心に対して接離する方向の変位が規制されているため、周囲の部材と干渉することを防止できる。そのため、回転部の回転によりケーブルに過度な負荷が加わることを防止できる。よって、ケーブルが断線し難い配索構造を実現でき、円滑に回転部を回転できるとともに、回転部に配置した電気部品に電力を供給できる。
【０００８】
前記規制部は、前記内側配索部の前記軸心に対して接近する方向の変位を規制する内側規制部と、前記外側配索部の前記軸心に対して離反する方向の変位を規制する外側規制部とを有する。前記内側規制部は、前記本体及び前記回転部の一方に設けられ、前記外側規制部は、前記本体及び前記回転部の他方に設けられている。即ち、ケーブルは、自身の弾性によって、内側配索部が内側規制部に沿って延び、外側配索部が外側規制部に沿って延びる。そのため、ケーブルの捻れや絡みを防止できる。
【０００９】
前記内側規制部と前記外側規制部とで、前記ケーブルが収容される円環状溝を形成している。このようにすれば、折返部が円滑に変位できるとともに、他部材との干渉を防止できる。
【００１０】
前記回転部の回転により、前記内側配索部同士及び外側配索部同士の少なくとも一方が重なり合わないように前記ケーブルを配索している。このようにすれば、ケーブルに加わる負荷を低減できるため、断線等の問題が生じ難く配索構造を実現できる。
【発明の効果】
【００１１】
本発明の送風装置は、弾性的に変形可能なケーブルを、折返部を介して内側配索部と外側配索部とを有する状態に配索しているため、回転部の回転によりケーブルへの過度な負荷を防止できる。よって、ケーブルに断線等の問題が生じ難い配索構造を実現できるとともに、円滑に回転部を回転できる。
【図面の簡単な説明】
【００１２】
【図１】本発明の第１実施形態の除湿機の斜視図。
【図２】除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６Ａ】図２のヘッド部を上方から見た分解斜視図。
【図６Ｂ】図２のヘッド部を下方から見た分解斜視図。
【図７】ヘッド部の断面図。
【図８Ａ】回転規制部を右側から見た分解斜視図。
【図８Ｂ】回転規制部を左側から見た分解斜視図。
【図９Ａ】送風部の基準位置を示す平面図。
【図９Ｂ】送風部を正転方向の端まで回転させた状態を示す平面図。
【図９Ｃ】送風部を逆転方向の端まで回転させた状態を示す平面図。
【図１０】ヘッドベースと送風部とケーブルの関係を示す分解斜視図。
【図１１Ａ】図９Ａのケーブルの状態を示す平面図。
【図１１Ｂ】図９Ｂのケーブルの状態を示す平面図。
【図１１Ｃ】図９Ｃのケーブルの状態を示す平面図。
【図１２Ａ】第２実施形態のケーブルの配索構造を示す平面図。
【図１２Ｂ】図１２Ａの状態から送風部を正転方向の端まで回転させた状態を示す平面図。
【図１２Ｃ】図１２Ａの状態から送風部を逆転方向の端まで回転させた状態を示す平面図。
【発明を実施するための形態】
【００１３】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１４】
（第１実施形態）
図１から図３Ｂは本発明の第１実施形態に係る送風装置の一例である除湿機１を示す。図４は除湿機１の概念的な断面図である。図５は除湿機１のシステム図である。
【００１５】
（全体構成）
図１及び図２を参照すると、除湿機１は、円柱形状の外観を有し、本体１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿（処理）する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００１６】
ヘッド部６００は、図１において本体１００の軸心Ｌを中心として回転可能な送風部６４０を備える。送風部６４０は、図１に示す基準位置を起点として、規制部材６８０回りを略±１８０度の範囲で、図１において周方向Ａに往復（首振り）回転できる。送風部６４０の吹出口６４２には可動式のルーバー６６０が配置されている。ルーバー６６０は、図１において上下方向Ｂの設定範囲で揺動できる。
【００１７】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（第１送風手段）４００と、再生空気を循環させるための再生空気ファン（第２送風手段）４５０とを備える。
【００１８】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００１９】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２０】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口１１２との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２１】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ吐出される。
【００２２】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２３】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００２４】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸着）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。なお、熱交換器３００，３５０で再生空気が冷却されることにより凝縮した水は、貯水タンク７２０に貯留される。
【００２５】
（ヘッド部の詳細）
図４及び図６Ａ，Ｂに示すように、本体１００は、上端に送風部６４０を回転可能に配置するためのヘッドベース（固定基部）６１０を備える。ヘッド部６００は、ヘッドベース６１０に回転可能に配置された送風部（回転部）６４０を備える。送風部６４０は、ヘッドベース６１０に配置する規制部材（閉塞部材）６８０を配置することにより、これらの間に挟み込まれた状態で回転可能に配置されている。図６Ａに示すように、送風部６４０にはステッピングモータ（ルーバー駆動手段）６６５が配置されている。
【００２６】
詳しくは、図６Ａから図７に示すように、本体１００のヘッドベース６１０は、金属製のベース本体６２０と、樹脂製のベースカバー６３０とを備え、これらがネジ止めにより固定されている。ベース本体６２０は、軸心Ｌ側に位置する実質的な中央に本体１００の送出部４１１に連通する連通口６２１を備える。図６Ｂに最も明瞭に示すように、連通口６２１の下部には、送出部４１１の外側に嵌合する嵌合部６２２が設けられている。ベースカバー６３０は、連通口６２１に連通する連通口６３１を備える。ベースカバー６３０には、連通口６３１の内周部（近傍）から上向きに突出するボス（固定部）６３２が設けられている。ボス６３２は、軸心Ｌに沿って上向きに延びるとともに、軸心Ｌを中心として周方向に所定間隔をあけて４個設けられている。
【００２７】
図６Ｂに最も明瞭に示すように、ヘッドベース６１０の下面側には、送風部６４０を回転させるステッピングモータ（送風部駆動手段）６２３が配置されている。ステッピングモータ６２３は、出力軸を正転方向及び逆転方向に回転可能な駆動手段である。ステッピングモータ６２３の出力軸には第１ギア６２４が配置されている。ヘッドベース６１０には、第１ギア６２４の径方向外側に位置するように挿通部が設けられ、この挿通部に第１ギア６２４に噛合された第２ギア６２５が回転可能に配置されている。第２ギア６２５の回転軸には、挿通部を通してヘッドベース６１０の上面側に位置するように第３ギア６２６が配置されている。
【００２８】
図６Ａから図７に示すように、ヘッド部６００の送風部６４０は、ヘッドベース６１０上に載置された送風部本体６５０と、送風部本体６５０を覆う外装カバー６７０とを備え、これらがネジ止めにより固定されている。図６Ｂに最も明瞭に示すように、送風部本体６５０は、平面視円環状である。送風部本体６５０の底面側には、ヘッドベース６１０上で第３ギア６２６に噛み合うギア部６５３が一体に設けられている。送風部６４０は、ステッピングモータ６２３の駆動により、ギア６２４〜６２６を介してギア部６５３が回転され、図１に示す本体１００の軸心Ｌを中心として回転される。
【００２９】
図６Ａから図７に示すように、送風部本体６５０は、ボス６３２を取り囲む流入部６５１と、流入部６５１の両端から径方向外向きに延びる吹出部６５２とを備える。これら流入部６５１及び吹出部６５２により、平面視Ｕ字形状の送風案内部６４１が形成されている。流入部６５１は、上端に開口６５１ａを有する半円筒状であり、下端には連通口６２１，６３１に連通する連通口６５４が設けられている。連通口６５４は、本体１００の軸心Ｌを中心とした同心円形状であり、内部にボス６３２が上向きに突出するように挿通される。送風部６４０の外側面に位置する吹出部６５２の外側端は吹出口６４２であり、この吹出口６４２に可動式のルーバー６６０が配置されている。ルーバー６６０は、４枚の羽根板６６１Ａ〜６６１Ｄを備える。図６Ａに最も明瞭に示すように、羽根板６６１Ａ〜６６１Ｄは、送風部本体６５０に配置したステッピングモータ６６５の駆動により、同期して上下方向Ｂに回動する。
【００３０】
外装カバー６７０は、円筒状の外周壁６７０ａと、外周壁６７０ａの上面を覆う上壁６７０ｂとを備える。外装カバー６７０の上壁６７０ｂには、連通口６５４の上部に位置する同心円形状の第１開口部６７１が設けられている。また、外装カバー６７０には、ルーバー６６０を含む吹出口６４２を露出させる第２開口部６７２が、外周壁６７０ａから上壁６７０ｂにかけて形成されている。
【００３１】
図６Ａから図７に示すように、本体１００側の構成部品である規制部材６８０は、ヘッドベース６１０に送風部６４０を配置し、送風部６４０の第１開口部６７１内に位置するボス６３２にネジ止めすることにより固定されている。規制部材６８０の配置により、流入部６５１の開口６５１ａが塞がれて送風案内部６４１が画定されている。また、規制部材６８０の配置により、外装カバー６７０の第１開口部６７１が塞がれ、ヘッドベース６１０から送風部６４０が脱落することを防止している。規制部材６８０は、上端開口の収容ケース６８１と、収容ケース６８１を閉塞するカバー６８５とを備える。収容ケース６８１は、円盤状の底壁６８２ａから突出する半円筒状の外周壁６８２ｂを備える。底壁６８２ａには、ボス６３２に対応するネジ止め部６８３が設けられている。図７に示すように、収容ケース６８１の内部には、操作基板６９０が配置されている。カバー６８５には、操作基板６９０のスイッチに対応する入力部が形成されている。
【００３２】
（送風部の回転角度範囲の規制）
ヘッド部６００は、ヘッドベース６１０に対する送風部６４０の回転を規制する回転規制部６０１を備える。図８Ａ，Ｂに示すように、回転規制部６０１は、送風部本体６５０の流入部６５１に形成した第１及び第２突出部（当接部）６５５Ａ，６５５Ｂと、規制部材６８０の収容ケース６８１に形成した第１及び第２受部（当接受部）６８４Ａ，６８４Ｂを備える。
【００３３】
突出部６５５Ａ，６５５Ｂは、流入部６５１の径方向に対向する位置から内向きに突出するように設けられている。図８Ａを参照すると、第１突出部６５５Ａは流入部６５１の上縁側に設けられている。図８Ｂを参照すると、第２突出部６５５Ｂは、第１突出部６５５Ａよりも流入部６５１の下縁側に設けられている。
【００３４】
受部６８４Ａ，６８４Ｂは、収容ケース６８１の外周壁６８２ｂの平面視で径方向に対向する位置から外向きに突出するように設けられている。図８Ａを参照すると、第１受部６８４Ａは収容ケース６８１の上端に設けられている。図８Ｂを参照すると、第２受部６８４Ｂは収容ケース６８１の下端に設けられている。第１受部６８４Ａは、第２突出部６５５Ｂの上方に位置するとともに、第１突出部６５５Ａと同一高さに位置する。第２受部６８４Ｂは、第１突出部６５５Ａの下方に位置するとともに、第２突出部６５５Ｂと同一高さに位置する。送風部６４０が回転すると、第１受部６８４Ａには、第２突出部６５５Ｂが干渉することなく、第１突出部６５５Ａだけが当接する。第２受部６８４Ｂには、第１突出部６５５Ａが干渉することなく、第２突出部６５５Ｂだけが当接する。
【００３５】
図９Ａに示すように、送風部６４０は、回転規制部６０１により回転可能な角度範囲が設定されている。詳しくは、図９Ｂに示すように、突出部６５５Ａ，６５５Ｂを受部６８４Ａ，６８４Ｂの一端側に当接させた第１規制位置ＰＡ１から、図９Ｃに示すように、突出部６５５Ａ，６５５Ｂを受部６８４Ａ，６８４Ｂの他端側に当接させた第２規制位置ＰＡ２までが、送風部６４０の回転角度範囲である。図９Ａに示すように、送風部６４０を回転させる基準位置ＰＲは、回転角度範囲の中間点に設定されている。
【００３６】
送風部６４０は、ヘッドベース６１０の基準位置ＰＲを起点として、正転方向及び逆転方向に周方向に±１７５．０度（合計で３５０度）回転できる。吹出口６４２の周方向の横幅を考慮すると、実質的に除湿機１の全周囲（３６０度）へ空気を吹き出すことができる。また、送風部６４０に配置された可動式のルーバー６６０により、除湿機１を起点として上下に空気を吹き出すことができる。
【００３７】
（フラットケーブルの配索）
図７及び図１０に示すように、ヘッドベース６１０と送風部６４０の間には、本体１００に配置した第１の電気部品である中継基盤８１２（図６Ｂ参照）と、送風部６４０に配置した第２の電気部品である中継基盤８１０（図６Ａ参照）とを電気的に接続するためのフラットケーブル（ケーブル）８００が配置されている。中継基盤８１２は、ベース１０１に配置したメイン基板（図示せず）に電気的に接続され、中継基盤８１０は、送風部６４０に配置したステッピングモータ６６５に電気的に接続されている。
【００３８】
図１０に最も明瞭に示すように、フラットケーブル８００は、細いケーブルを平面状に複数束ねて、薄い帯のようにした弾性変形が可能な配線である。フラットケーブル８００は、長手方向に直交する幅方向が、本体１００の軸心Ｌに沿って延びるように配索されている。また、フラットケーブル８００は、平面視Ｕ字形状をなすように折り返され、更に送風部６４０（本体１００）の軸心Ｌを中心として円弧状に囲むように配索されている。これによりフラットケーブル８００には、軸心Ｌ側に位置する内側配索部８０１と、内側配索部８０１の外側に位置する外側配索部８０２と、これら配索部８０１，８０２の間の半円形状の折返部８０３とが形成されている。フラットケーブル８００は、内側配索部８０１側である一端側８００ａがヘッドベース６１０のベースカバー６３０に挿通固定されている。また、外側配索部８０２側である他端側８００ｂが送風部６４０の送風部本体６５０に挿通固定されている。
【００３９】
ヘッドベース６１０のベースカバー６３０には、フラットケーブル８００の一端側８００ａを挿通する挿通孔６３３が設けられている。挿通孔６３３は、細長いスリット状の孔である。送風部６４０の送風部本体６５０には、フラットケーブル８００の他端側８００ｂを挿通する挿通部６５６が設けられている。挿通部６５６は、細長いスリット状の孔であり、周囲に軸心Ｌに沿って見た形状がＬ字形状をなす枠部６５７を備える。フラットケーブル８００には、直交方向に延びるように折り曲げた屈曲部８０４ａ，８０４ｂが形成されている。一端側８００ａ側を挿通孔６３３に挿通することにより、挿通孔６３３上に屈曲部８０４ａが固定されている。また、他端側８００ｂ側を挿通部６５６に挿通することにより、枠部６５７内に屈曲部８０４ｂが固定されている。
【００４０】
図９Ａ及び図１１Ａに示すように、挿通孔６３３及び挿通部６５６は、ヘッドベース６１０に対して送風部６４０を基準位置ＰＲに配置した状態で、平面視で径方向に対向する位置に配置されている。また、挿通孔６３３及び挿通部６５６は、送風部６４０の回転によって互いに干渉しないように、挿通孔６３３が軸心Ｌ側（径方向内側）に位置し、挿通部６５６が挿通孔６３３より径方向外側に位置するように設けられている。
【００４１】
図１０及び図１１Ａに示すように、ベースカバー６３０及び送風部本体６５０には、軸心Ｌに対して接離する方向（径方向）のフラットケーブル８００の変位を規制する規制部６０２が設けられている。規制部６０２は、内側配索部８０１が軸心Ｌに対して接近する方向の変位を規制する内側規制部６３４と、外側配索部８０２が軸心Ｌに対して離反する方向の変位を規制する外側規制部６５８とを備える。内側規制部６３４は、ベースカバー６３０の平面視円形状の連通口６３１の縁から上向き突出している。外側規制部６５８は、挿通部６５６の外側かつギア部６５３の内側に位置するように、送風部本体６５０から下向きに突出している。図７を加えて参照すると、平面視円環状に形成された内側規制部６３４及び外側規制部６５８と、ベースカバー６３０の板壁６３０ａと、送風部本体６５０の板壁６５０ａとで、フラットケーブル８００を配索する円環状溝６０３が画定されている。フラットケーブル８００は、折返部８０３の弾性的な復元力により、内側配索部８０１が内側規制部６３４に密着し、外側配索部８０２が外側規制部６５８に密着するように変位する。
【００４２】
内側規制部６３４と外側規制部６５８の径方向の間隔（距離）は、除湿機１の製品寿命に対する送風部６４０の回転回数を想定し、その回転回数分、フラットケーブル８００を変位させても断線しない距離以上としている。即ち、内側規制部６３４と外側規制部６５８の間隔を小さくすると、折返部８０３の直径（湾曲率）が小さくなり、フラットケーブル８００に加わる負荷が大きくなる。逆に、内側規制部６３４と外側規制部６５８の間隔を大きくすると、折返部８０３の直径が大きくなり、フラットケーブル８００に加わる負荷が小さくなる。よって、除湿機１の製品寿命に基づいた送風部６４０の回転回数と、フラットケーブル８００の耐久性を考慮し、内側規制部６３４と外側規制部６５８の径方向の間隔を設定している。
【００４３】
図１１Ａに示すように、規制部６０２内に位置するフラットケーブル８００の全長は、一対の屈曲部８０４ａ，８０４ｂ間の長さである。このフラットケーブル８００の全長は、図１１Ｂに示すように、送風部６４０を正転方向の第１規制位置ＰＡ１まで回転させた状態、図１１Ｃに示すように、送風部６４０を逆転方向の第２規制位置ＰＡ２まで回転させた状態で、折返部８０３が直線状に延びて消失しない長さに設定される。また、折返部８０３の内周側と外周側が逆になるような反転が生じない長さに設定される。具体的には、フラットケーブル８００の全長は、円環状溝６０３の円周長以上としている。更に詳しくは、内側規制部６３４の円周長以上、内側規制部６３４の円周長の１．５倍であることが好ましい。なお、本実施形態では、内側規制部６３４の円周長が４３０ｍｍであるのに対して、フラットケーブル８００の全長を４８０ｍｍにしている。
【００４４】
フラットケーブル８００の一端側８００ａは、ベースカバー６３０の挿通孔６３３を通して本体１００側に配索され、本体１００に配置した中継基盤８１２（図６Ｂ参照）に電気的に接続されている。中継基盤８１２にはリード線（図示せず）が接続され、このリード線がメイン基板（図示せず）接続されている。メイン基板には、各駆動部品を各センサの検出値に基づいて制御する制御手段であるマイコンが実装されている。図６Ａ及び図９Ａに示すように、フラットケーブル８００の他端側８００ｂは、送風部本体６５０の挿通部６５６を通して送風部本体６５０上に配置した中継基板８１０に電気的に接続されている。中継基板８１０にはリード線８１１が接続され、このリード線８１１がステッピングモータ６６５に電気的に接続されている。
【００４５】
図１１Ｂ，Ｃに示すように、フラットケーブル８００は、送風部６４０の回転角度位置に応じて折返部８０３の回転角度位置が変化する。詳しくは、図１１Ａ，Ｂに示すように、ヘッド部６００は、折返部８０３が位置する正転方向に送風部６４０が回転されると、内側配索部８０１の全長が長くなり、外側配索部８０２の全長が短くなる。これに伴ってフラットケーブル８００の折返部８０３の位置が変化する。図１１Ａ，Ｃに示すように、本体１００の挿通部６５６に固定されたフラットケーブル８００の一端（端部８００ａ）側が位置する逆転方向に送風部６４０が回転すると、内側配索部８０１の全長が短くなり、外側配索部８０２の全長が長くなる。これに伴ってフラットケーブル８００の折返部８０３の位置が変化する。このように、送風部６４０の回転に伴って折返部８０３の位置が変化する構成としているため、フラットケーブル８００が断線し難い配索構造を実現できる。
【００４６】
また、フラットケーブル８００は、自身の弾性と折返部８０３の形成により、内側配索部８０１が内側規制部６３４側に密着して規制され、外側配索部８０２が外側規制部６５８側に密着して規制された状態を維持できる。よって、フラットケーブル８００が周囲の他の部材と干渉することを防止できる。そのため、送風部６４０の回転によりフラットケーブル８００に捻れのような過度な負荷が加わることを防止できる。よって、フラットケーブル８００に断線等の問題が生じ難い配索構造を実現できる。よって、円滑に送風部６４０を回転できるとともに、送風部６４０に配置したステッピングモータ６６５に電力を供給できる。また、規制部６０２内において、内側配索部８０１の一端側８００ａを径方向内側で固定し、外側配索部８０２の他端側８００ｂを径方向外側で固定し、これらが互いに干渉しないように固定しているため、送風部６４０の円滑な回転を実現できる。
【００４７】
（第２実施形態）
図１２Ａ〜Ｃは第２実施形態の除湿機１のフラットケーブル８００の配索構造を示す。この第２実施形態では、送風部６４０の回転によりフラットケーブル８００の内側配索部８０１同士及び外側配索部８０２同士が重なり合わないようにした点で、第１実施形態と相違する。
【００４８】
詳しくは、図１２Ａに示すように、本体１００のヘッドベース６１０に対して送風部６４０を基準位置ＰＲに配置した状態で、本体１００の挿通孔６３３を、平面視で送風部６４０の挿通部６５６に近接する位置に形成している。更に詳しくは、挿通孔６３３と挿通部６５６とは、平面視で略９０度間隔をあけた位置に設けられている。
【００４９】
フラットケーブル８００は、円環状溝６０３の円周長以上の全長としている。そして、内側配索部８０１の端部８００ａを固定する挿通孔６３３の径方向に対向する位置に折返部８０３が位置するように、フラットケーブル８００を配索している。詳しくは、フラットケーブル８００の一端側８００ａを挿通孔６３３に固定し、内側配索部８０１を挿通部６５６が位置する側に配索する。また、フラットケーブル８００の他端側８００ｂを挿通部６５６に固定し、外側配索部８０２を挿通孔６３３が位置する側に配索する。そして、挿通孔６３３の対向位置に折返部８０３が位置するように配索する。
【００５０】
このようにした第２実施形態では、図１２Ｂ，Ｃに示すように、ヘッド部６００の回転に伴って、内側配索部８０１及び外側配索部８０２の全長が長く又は短くなり、折返部８０３の位置が変化する。そのため、第１実施形態と同様の作用及び効果を得ることができる。しかも、図１２Ｂに示すように、内側配索部８０１の全長が長くなる正転方向に回転しても、内側配索部８０１同士が重なり合うことはない。そのため、フラットケーブル８００に加わる負荷を低減できるため、断線等の問題が生じ難く配索構造を実現できる。
【００５１】
なお、本発明の送風装置は、前記実施形態の構成に限定されず、種々の変更が可能である。
【００５２】
例えば、規制部６０２は、内側規制部６３４をベースカバー６３０に設けるとともに外側規制部６５８を送風部本体６５０に設けたが、内側規制部６３４を送風部本体６５０に設けるとともに外側規制部６５８をベースカバー６３０に設けてもよい。また、内側規制部６３４及び外側規制部６５８の両方を、ベースカバー６３０に設けても良いし、送風部本体６５０に設けても良い。また、規制部６０２は、円環状の内側規制部６３４及び外側規制部６５８に限らず、フラットケーブル８００の内側配索部８０１及び外側配索部８０２の接離する方向の変位を規制できる構成であれば、希望に応じて変更が可能である。
【００５３】
また、フラットケーブル８００の端部８００ａ，８００ｂを固定する挿通孔６３３と挿通部６５６を形成する位置、及びフラットケーブル８００の全長は、希望に応じて変更が可能である。勿論、フラットケーブル８００は、ベースカバー６３０に固定する一端側８００ａを外側配索部８０２側とし、送風部本体６５０に固定する他端側８００ｂを内側配索部８０３側としてもよい。
【００５４】
また、前記実施形態では、中継基板８１０，８１２を電気的に接続するためにフラットケーブル８００を用いたが、弾性的に変形することが可能なケーブルであれば適用可能であり、同様の作用及び効果を得ることができる。また、前記実施形態では、フラットケーブル８００を平面視Ｕ字形状をなすように折り返し、本体１００の軸心Ｌを中心として円弧状に囲むように配索したが、軸心Ｌを囲むように配索すればよい。また、送風部６４０を回転可能に配置するためのヘッドベース６１０は、本体１００と別体で形成したが、外装パネル１１０Ａ，１１０Ｂの上端に一体に設けた板部により構成してもよい。
【００５５】
第２実施形態では、フラットケーブル８００の内側配索部８０１同士及び外側配索部８０２同士が互いに重なり合わないように構成したが、内側配索部８０１同士及び外側配索部８０２同士の一方だけが重なり合わないようにしてもよい。
【００５６】
本実施形態の除湿機１は、例えば室内を乾燥させることを目的とした室内空気を除湿対象とする他、衣類の乾燥を目的とした衣類の水分を除湿対象とするものや、これらの両方の目的を達成するものが含まれる。また、本発明の特徴である回転可能な送風部６４０に配置した電気部品にフラットケーブル８００を用いて電力を供給する構成は、除湿機１に限らず、空気を取り込んで処理を加えて吐出する加湿器、空気調和機、サーキュレータ、冷風機、温風機に適用しても同様の作用及び効果を得ることができる。さらに、空気を取り込んで加圧以外の処理を加えることなく吐出する扇風機に適用しても同様の作用及び効果を得ることができる。
【符号の説明】
【００５７】
１…除湿機（送風装置）
２…処理空気経路
２ａ〜２ｅ…処理空気経路の部分
３…再生空気経路
３ａ〜３ｅ…再生空気経路の部分
１００…本体
１０１…ベース
１０２…基部
１０３…立壁部
１１０Ａ，１１０Ｂ…外装パネル
１１１Ａ，１１１Ｂ…補強パネル
１１２…吸込口
２００…除湿ロータ
２５０…ヒータ
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン（送風手段）
４１０…ファンケース
４１１…送出部
４５０…再生空気ファン
４６０…ファンケース
４６１…第１ダクト部
４６２…第２ダクト部
５００…ダクト部材
６００…ヘッド部
６０１…回転規制部
６０２…規制部
６０３…円環状溝
６１０…ヘッドベース（固定基部）
６２０…ベース本体
６２１…連通口
６２２…嵌合部
６２３…ステッピングモータ（駆動手段）
６２４…第１ギア
６２５…第２ギア
６２６…第３ギア
６３０…ベースカバー
６３０ａ…板壁
６３１…連通口
６３２…ボス
６３３…挿通孔
６３４…内側規制部
６４０…送風部（回転部）
６４１…送風案内部
６４２…吹出口
６５０…送風部本体
６５０ａ…板壁
６５１…流入部
６５１ａ…開口
６５２…吹出部
６５３…ギア部
６５４…連通口
６５５Ａ，６５５Ｂ…突出部（当接部）
６５６…挿通部
６５７…枠部
６５８…外側規制部
６６０…ルーバー
６６１Ａ〜６６１Ｄ…羽根板
６６５…ステッピングモータ
６７０…外装カバー
６７０ａ…外周壁
６７０ｂ…上壁
６７１…第１開口部
６７２…第２開口部
６８０…規制部材
６８１…収容ケース
６８２ａ…底壁
６８２ｂ…外周壁
６８３…ネジ止め部
６８４Ａ，６８４Ｂ…受部（当接受部）
６８５…カバー
６９０…操作基板
７００…貯水部
７２０…貯水タンク
８００…フラットケーブル
８００ａ…一端側
８００ｂ…他端側
８０１…内側配索部
８０２…外側配索部
８０３…折返部
８０４ａ，８０４ｂ…屈曲部
８１０…中継基板（第１の電気部品）
８１１…リード線
８１２…中継基板（第２の電気部品）
Ｌ…軸心
【図１】
2016095093.tif 000003
【図２】
2016095093.tif 000004
【図３Ａ】
2016095093.tif 000005
【図３Ｂ】
2016095093.tif 000006
【図４】
2016095093.tif 000007
【図５】
2016095093.tif 000008
【図６Ａ】
2016095093.tif 000009
【図６Ｂ】
2016095093.tif 000010
【図７】
2016095093.tif 000011
【図８Ａ】
2016095093.tif 000012
【図８Ｂ】
2016095093.tif 000013
【図９Ａ】
2016095093.tif 000014
【図９Ｂ】
2016095093.tif 000015
【図９Ｃ】
2016095093.tif 000016
【図１０】
2016095093.tif 000017
【図１１Ａ】
2016095093.tif 000018
【図１１Ｂ】
2016095093.tif 000019
【図１１Ｃ】
2016095093.tif 000020
【図１２Ａ】
2016095093.tif 000021
【図１２Ｂ】
2016095093.tif 000022
【図１２Ｃ】
2016095093.tif 000023